(57)【特許請求の範囲】
【請求項１】
上下の弦材と上下の弦材間に配置した斜材とを有する複数のトラスユニットと、複数のトラスユニットの弦材同士を連結する弦材連結具とを備え、弦材は、互いに平行な一組の側壁と、側壁同士を繋ぐ水平壁とを有し、側壁の長手方向端部に折り曲げ片が形成してあり、隣接するトラスユニットの弦材が端面を互いに突き合わせてあり、弦材連結具は、弦材の突合せ部に跨って配置してあり、弦材の水平壁に当接する基板と、基板上に弦材の長手方向に間隔をおいて且つ弦材の側壁に直交する４つの折り曲げ片を有し、一方の弦材の折り曲げ片が弦材連結具の一方の弦材側の２つの折り曲げ片の間に折り込んであり、他方の弦材の折り曲げ片が弦材連結具の他方の弦材側の２つの折り曲げ片の間に折り込んであり、弦材連結具の各折り曲げ片を弦材の折り曲げ片に重ねるようにそれぞれ折り曲げてあることを特徴とするトラス構造体。
【請求項２】
上下の弦材と上下の弦材間に配置した斜材とを有する複数のトラスユニットと、複数のトラスユニットの斜材同士を連結する斜材連結具とを備え、上下の弦材は、それぞれ格子状に複数本配置してあり、斜材は、上弦材に向けて斜めにのびる上斜材と、下弦材に向けて斜めにのびる下斜材とがあり、左右方向に隣接する上弦材にそれぞれ連結された２本の上斜材と左右方向に隣接する下弦材にそれぞれ連結された２本の下斜材の先端部が、トラスユニットの上下方向の中間で前後方向に突出する繋ぎ部に繋いであり、前後方向に隣接するトラスユニットの斜材の繋ぎ部同士を互いに突き合わせてあり、斜材連結具は、繋ぎ材とリングとからなり、繋ぎ材は、前後方向の一方側からスリットが形成してあり、突き合わせた繋ぎ部にスリットを差し込んで取付けてあり、リングは、前後方向の一方側から繋ぎ材の外周に嵌め込んであり、リングから突き出た繋ぎ材の先端部を変形させて斜材連結具を固定していることを特徴とするトラス構造体。
【請求項３】
上下の弦材と上下の弦材間に配置した斜材とを有する複数のトラスユニットと、複数のトラスユニットの斜材同士を連結する斜材連結具とを備え、上下の弦材は、それぞれ格子状に複数本配置してあり、斜材は、上弦材に向けて斜めにのびる上斜材と、下弦材に向けて斜めにのびる下斜材とがあり、左右方向に隣接する上弦材にそれぞれ連結された２本の上斜材と左右方向に隣接する下弦材にそれぞれ連結された２本の下斜材の先端部が、トラスユニットの上下方向の中間で前後方向に突出する繋ぎ部に繋いであり、繋ぎ部には端面から前後方向に沿って延びる切り込みが形成してあり、前後方向に隣接するトラスユニットの斜材の繋ぎ部同士を前後方向から切り込みを互いに差し込んで嵌合させてあり、斜材連結具は、繋ぎ材とリングとからなり、繋ぎ材は、前後方向の一方側からスリットが形成してあり、嵌合させた繋ぎ部にスリットを差し込んで取付けてあり、リングは、前後方向の一方側から繋ぎ材の外周に嵌め込んであり、リングから突き出た繋ぎ材の先端部を変形させて斜材連結具を固定していることを特徴とするトラス構造体。
【請求項４】
上下の弦材と上下の弦材間に配置した斜材とを有する複数のトラスユニットと、複数のトラスユニットの斜材同士を連結する斜材連結具とを備え、上下の弦材は、それぞれ格子状に複数本配置してあり、斜材は、上弦材に向けて斜めにのびる上斜材と、下弦材に向けて斜めにのびる下斜材とがあり、前後方向に隣接する上弦材にそれぞれ連結された２本の上斜材と前後方向に隣接する下弦材にそれぞれ連結された２本の下斜材の先端部が、トラスユニットの上下方向の中間で前後方向に配置された繋ぎ部に繋いであり、左右方向に隣接するトラスユニットの斜材の繋ぎ部同士を左右方向に互いに当接してあり、斜材連結具は、繋ぎ材とリングとからなり、繋ぎ材は、前後方向の一方側からスリットが形成してあり、当接した繋ぎ部にスリットを差し込んで取付けてあり、リングは、前後方向の一方側から繋ぎ材の外周に嵌め込んであり、リングから突き出た繋ぎ材の先端部を変形させて斜材連結具を固定していることを特徴とするトラス構造体。
【発明の詳細な説明】
【技術分野】
【０００１】
本発明は、複数のトラスユニットを前後方向や左右方向に連結して構成するトラス構造体に関する。
【背景技術】
【０００２】
トラス構造体は、建築・土木分野をはじめとして様々な構造物の骨格に用いられている。建物の床版や屋根等に用いられる大面積の立体トラスは、運搬や組立ての便宜のために、工場で複数のトラスユニットに分割して組立てて施行現場に搬入し、施行現場で複数のトラスユニットを前後方向や左右方向に連結して構築することがある（例えば、特許文献１参照）。トラスユニットを互いに連結するには、トラスユニットの構造材である弦材や斜材を互いに連結する必要がある。従来、トラスユニットの弦材や斜材を連結するために、溶接や、金具を連結する二部材に渡してボルト・ナットやリベットで固定する手段が用いられているが、いずれも連結作業に相当の手間が掛かっている。  
【特許文献１】特開平５−２８７８００号公報
【発明の開示】
【発明が解決しようとする課題】
【０００３】
本発明は以上に述べた実情に鑑み、複数のトラスユニットを簡単に且つ確実に連結することのできるトラス構造体の提供を目的とする。
【課題を解決するための手段】
【０００４】
上記の課題を達成するために請求項１記載の発明によるトラス構造体は、上下の弦材と上下の弦材間に配置した斜材とを有する複数のトラスユニットと、複数のトラスユニットの弦材同士を連結する弦材連結具とを備え、弦材は、互いに平行な一組の側壁と、側壁同士を繋ぐ水平壁とを有し、側壁の長手方向端部に折り曲げ片が形成してあり、隣接するトラスユニットの弦材が端面を互いに突き合わせてあり、弦材連結具は、弦材の突合せ部に跨って配置してあり、弦材の水平壁に当接する基板と、基板上に弦材の長手方向に間隔をおいて且つ弦材の側壁に直交する４つの折り曲げ片を有し、一方の弦材の折り曲げ片が弦材連結具の一方の弦材側の２つの折り曲げ片の間に折り込んであり、他方の弦材の折り曲げ片が弦材連結具の他方の弦材側の２つの折り曲げ片の間に折り込んであり、弦材連結具の各折り曲げ片を弦材の折り曲げ片に重ねるようにそれぞれ折り曲げてあることを特徴とする。
【０００５】
請求項２記載の発明によるトラス構造体は、上下の弦材と上下の弦材間に配置した斜材とを有する複数のトラスユニットと、複数のトラスユニットの斜材同士を連結する斜材連結具とを備え、上下の弦材は、それぞれ格子状に複数本配置してあり、斜材は、上弦材に向けて斜めにのびる上斜材と、下弦材に向けて斜めにのびる下斜材とがあり、左右方向に隣接する上弦材にそれぞれ連結された２本の上斜材と左右方向に隣接する下弦材にそれぞれ連結された２本の下斜材の先端部が、トラスユニットの上下方向の中間で前後方向に突出する繋ぎ部に繋いであり、前後方向に隣接するトラスユニットの斜材の繋ぎ部同士を互いに突き合わせてあり、斜材連結具は、繋ぎ材とリングとからなり、繋ぎ材は、前後方向の一方側からスリットが形成してあり、突き合わせた繋ぎ部にスリットを差し込んで取付けてあり、リングは、前後方向の一方側から繋ぎ材の外周に嵌め込んであり、リングから突き出た繋ぎ材の先端部を変形させて斜材連結具を固定していることを特徴とする。
【０００６】
請求項３記載の発明によるトラス構造体は、上下の弦材と上下の弦材間に配置した斜材とを有する複数のトラスユニットと、複数のトラスユニットの斜材同士を連結する斜材連結具とを備え、上下の弦材は、それぞれ格子状に複数本配置してあり、斜材は、上弦材に向けて斜めにのびる上斜材と、下弦材に向けて斜めにのびる下斜材とがあり、左右方向に隣接する上弦材にそれぞれ連結された２本の上斜材と左右方向に隣接する下弦材にそれぞれ連結された２本の下斜材の先端部が、トラスユニットの上下方向の中間で前後方向に突出する繋ぎ部に繋いであり、繋ぎ部には端面から前後方向に沿って延びる切り込みが形成してあり、前後方向に隣接するトラスユニットの斜材の繋ぎ部同士を前後方向から切り込みを互いに差し込んで嵌合させてあり、斜材連結具は、繋ぎ材とリングとからなり、繋ぎ材は、前後方向の一方側からスリットが形成してあり、嵌合させた繋ぎ部にスリットを差し込んで取付けてあり、リングは、前後方向の一方側から繋ぎ材の外周に嵌め込んであり、リングから突き出た繋ぎ材の先端部を変形させて斜材連結具を固定していることを特徴とする。
【０００７】
請求項４記載の発明によるトラス構造体は、上下の弦材と上下の弦材間に配置した斜材とを有する複数のトラスユニットと、複数のトラスユニットの斜材同士を連結する斜材連結具とを備え、上下の弦材は、それぞれ格子状に複数本配置してあり、斜材は、上弦材に向けて斜めにのびる上斜材と、下弦材に向けて斜めにのびる下斜材とがあり、前後方向に隣接する上弦材にそれぞれ連結された２本の上斜材と前後方向に隣接する下弦材にそれぞれ連結された２本の下斜材の先端部が、トラスユニットの上下方向の中間で前後方向に配置された繋ぎ部に繋いであり、左右方向に隣接するトラスユニットの斜材の繋ぎ部同士を左右方向に互いに当接してあり、斜材連結具は、繋ぎ材とリングとからなり、繋ぎ材は、前後方向の一方側からスリットが形成してあり、当接した繋ぎ部にスリットを差し込んで取付けてあり、リングは、前後方向の一方側から繋ぎ材の外周に嵌め込んであり、リングから突き出た繋ぎ材の先端部を変形させて斜材連結具を固定していることを特徴とする。
【発明の効果】
【０００８】
請求項１記載の発明によるトラス構造体は、複数のトラスユニットの弦材の端面を互いに突き合わせ、弦材の突合せ部に弦材連結具を跨って配置し、弦材の側壁の長手方向端部に形成した折り曲げ片を弦材連結具の折り曲げ片の間にそれぞれ折り込んだ上で、弦材連結具の折り曲げ片を弦材の折り曲げ片に重ねるようにそれぞれ折り曲げることで、弦材同士を簡単に、且つ確実に連結することができる。
【０００９】
請求項２記載の発明によるトラス構造体は、複数のトラスユニットの斜材の繋ぎ部同士を前後方向に互いに突き合わせ、突き合わせた繋ぎ部に繋ぎ材をスリットに差し込んで取付け、前後方向の一方側から繋ぎ材の外周にリングを嵌め込み、リングから突き出た繋ぎ材の先端部を変形させて斜材連結具を固定することで、前後のトラスユニットの斜材同士を簡単に、且つ確実に連結することができる。
【００１０】
請求項３記載の発明によるトラス構造体は、複数のトラスユニットの斜材の繋ぎ部同士を前後方向から切り込みで互いに嵌合させ、嵌合させた繋ぎ部に繋ぎ材をスリットに差し込んで取付け、前後方向の一方側から繋ぎ材の外周にリングを嵌め込み、リングから突き出た繋ぎ材の先端部を変形させて斜材連結具を固定することで、前後のトラスユニットの斜材同士を簡単に、且つ確実に連結することができる。
【００１１】
請求項４記載の発明によるトラス構造体は、複数のトラスユニットの斜材の繋ぎ部同士を左右方向に互いに当接させ、当接した繋ぎ部に繋ぎ材をスリットに差し込んで取付け、前後方向の一方側から繋ぎ材の外周にリングを嵌め込み、リングから突き出た繋ぎ材の先端部を変形させて斜材連結具を固定することで、左右のトラスユニットの斜材同士を簡単に、且つ確実に連結することができる。
【発明を実施するための最良の形態】
【００１２】
以下、本発明の実施の形態を図面に基づいて説明する。図６は、本発明のトラス構造体の一実施形態を示す平面図である。このトラス構造体は、図７と図８に示すように、複数のトラスユニット４，４，…を、前後方向、左右方向に連結して構成される。
【００１３】
トラスユニット４は、図１１に示すように、上面側に上弦材１ａ，１ｂが縦横の格子状に配置され、下面側に下弦材２ａ，２ｂが同じように縦横の格子状に配置されている。各弦材１ａ，１ｂ，２ａ，２ｂは、アルミ製の押出形材を使用したものであり、互いに平行な一組の側壁６，６と、側壁６，６同士を繋ぐ水平壁７とを有する略コ字形断面となっている。
上弦材１ａ，１ｂと下弦材２ａ，２ｂの間には斜材３が配置されている。斜材３は、四角錐を上下に繋げたような形で前後方向及び左右方向に繋がったダブルーワーレン形となっており、上弦材１ａ，１ｂの各交差部と下弦材２ａ，２ｂの各交差部とを連結している。斜材３は、上弦材１ａ，１ｂの交差部に向けて斜めにのびる上斜材３ａと、下弦材２ａ，２ｂの交差部に向けて斜めにのびる下斜材３ｂとを有し、上斜材３ａと下斜材３ｂはそれぞれ四角錘の稜線に沿うように配置され、上斜材３ａと下斜材３ｂの先端部がトラスユニット４の上下方向の中間で繋ぎ部により繋いである。トラスユニット４の前後方向の端部には、図１１（ａ），（ｃ）に示すように、略Ｘ字状断面の繋ぎ部１５ａが前後方向に突出して設けてあり、左右方向に隣接する上弦材１ａ，１ａにそれぞれ連結された２本の上斜材３ａ，３ａと、左右方向に隣接する下弦材２ａ，２ａにそれぞれ連結された２本の下斜材３ｂ，３ｂの先端部が、繋ぎ部１５ａで繋いである。トラスユニット４の左右方向の端部には、略く字状断面の繋ぎ部１５ｂが前後方向に配置してあり、前後方向に隣接する上弦材１ｂ，１ｂにそれぞれ連結された２本の上斜材３ａ，３ａと、前後方向に隣接する下弦材２ｂ，２ｂにそれぞれ連結された２本の下斜材３ｂ，３ｂの先端部が、繋ぎ部１５ｂで繋いである。
【００１４】
上記斜材３は、図１２−１（ａ）に示すように、上下壁２０ａ，２０ｂと、上下壁を繋ぐ繋ぎ部１５ａ，１５ｂとを有するアルミ製の多孔押出形材２２に、図１２−１（ｂ）に示すように、上下壁２０ａ，２０ｂと繋ぎ部１５ａ，１５ｂとにエンドミル３０で切れ目２３を前後方向に沿って断続的に、且つ左右方向に隣り合うもの同士で前後方向に位置をずらして千鳥状の配列で形成し、これを図１２−２（ｃ），（ｄ）に示すように、上下方向と左右方向に引き伸ばして各切れ目２３を拡開させることにより一体で形成している。本トラスユニット４は、このように形成した斜材３の上面側と下面側の斜材格子点２４に、弦材１ａ，１ｂ，２ａ，２ｂを縦横に渡して固定することにより製作している。図１３−１，２は、上面側の斜材格子点２４に上弦材１ａ，１ｂを縦横に固定する手順を示しており、まず図１３−１（ａ）に示すように、縦方向の弦材１ａは側壁６に切り込みを入れて折り曲げ片２５ａを形成しておき、開口側を下向きにして斜材格子点２４に上から載せる。その後、図１３−１（ｂ）に示すように、折り曲げ片２５ａを内側に折り込み、仮固定する。次に図１３−２（ｃ）に示すように、同じように側壁６に切り込みを入れて折り曲げ片２５ｂを形成した横方向の弦材１ｂを、開口側を上向きにして斜材格子点２４に下方より配置し、折り曲げ片２５ｂを斜材格子点２４と縦方向の弦材１ａの間の隙間に折り込む。その後、図１３−２（ｄ）に示すように、上下方向から押さえ具２６ａ，２６ｂで押さえながらパンチ２７ａ，２７ｂで挟み、折り曲げ片２５ａ，２５ｂをカシメて斜材格子点２４と縦横の弦材１ａ，１ｂを固定する。なお、このようにカシメにより固定するのではなく、溶接や、ビス、リベット等で弦材１ａ，１ｂを固定してもよい。
【００１５】
以下、トラスユニット４同士を前後方向、左右方向に連結する構造について説明する。トラスユニット４を前後方向に連結するときには、図９（ａ）〜（ｃ）に示すように、縦方向の弦材１ａ，２ａの端面を互いに突き合わせ、弦材の突き合わせ部９を弦材連結具５により連結する。斜材３も、前後方向の端部に形成された繋ぎ部１５ａ，１５ａを互いに突き合わせ、突き合わせた繋ぎ部１５ａ，１５ａを繋ぎ材１３とリング１４とからなる斜材連結具１２により連結する。
【００１６】
図１に即して弦材２ａの連結手順を詳細に説明する。弦材２ａは、図１（ａ）に示すように、側壁６の長手方向端部に上下方向の切れ目２８を２本ずつ平行に設けて、折り曲げ片８を形成しておく。弦材連結具５は、図１（ｂ）に示すように、基板１０と、基板１０上に弦材２ａの長手方向に間隔をおいて且つ弦材２ａの側壁６に直交する４つの折り曲げ片１１，１１，１１，１１を有するものとなっており、前後のトラスユニット４の弦材２ａの端面を互いに突き合わせた後、基板１０を弦材の水平壁７に当接させて弦材の突き合わせ部９に跨って配置する。その後、図１（ｃ）に示すように、前側の弦材の折り曲げ片８，８を弦材連結具５の前側の２つの折り曲げ片１１，１１の間に折り込み、後側の弦材の折り曲げ片８，８を弦材連結具５の後側の２つの折り曲げ片１１，１１の間に折り込む。その後、図１（ｄ）に示すように、弦材連結具５の各折り曲げ片１１を弦材の折り曲げ片８に重ねるようにそれぞれ折り曲げ、弦材連結具５を固定する。図２は、弦材連結具５により連結された弦材の突き合わせ部９を示しており、各折り曲げ片８，１１を折り曲げるだけの簡易な作業で、弦材の突き合わせ部９が弦材連結具５を介して離間したりずれたりすることがないように確実に連結される。
【００１７】
次に、図３に即して斜材３を前後方向に連結する手順を詳細に述べる。まず図３（ａ）に示すように、斜材３の前後方向の端部に形成された繋ぎ部１５ａ，１５ａ同士を互いに突き合わせる。繋ぎ材１３は、図３（ｂ）に示すように、丸棒状の軸に前側から繋ぎ部１５ａの断面形状と同じ略Ｘ字状断面のスリット１３ａを形成したものとなっており、突き合わせた繋ぎ部１５ａ，１５ａにスリット１３ａを後側から差し込むようにして繋ぎ材１３を取付ける。次に、図３（ｃ）に示すように、前側から繋ぎ材１３の外周にリング１４を嵌める。その後、図３（ｄ）に示すように、リング１４から突き出た繋ぎ材の先端部１３ｂを外周側に広げるように変形させ、斜材連結具１２を固定する。以上の手順により、前後のトラスユニットの斜材３が斜材連結具１２を介して確実に連結される。
【００１８】
図４は、斜材３を前後方向に連結する構造の他の実施形態を示している。斜材３の前後方向の端部は、図４（ａ）に示すように、繋ぎ部１５ａの周囲に繋がっている上下斜材３ａ，３ｂの端部を端面から繋ぎ部１５ａの長さの半分程度切除し（図中の符号２８を付した部分を切除する）、さらに図４（ｂ）に示すように、繋ぎ部１５ａの断面の中心付近に端面から前後方向に沿って切り込み１７を入れる。その上で前後の斜材の繋ぎ部１５ａ，１５ａを、切り込み１７，１７を差し込み合うようにして前後方向から嵌合させる。繋ぎ部１５ａ，１５ａは、図４（ｃ）に示すように互いに重合する形になり、切除した斜材３ａ，３ｂの端面２９が互いに突き合わせられる。その後、切り込み１７で嵌合させた繋ぎ部１５ａ，１５ａに、繋ぎ材１３を略Ｘ字状断面のスリット１３ａに差し込んで取り付ける。その後、図３（ｃ）と同様に、反対側から繋ぎ材１３の外周にリング１４を嵌め込み、図３（ｄ）に示すように、リング１４から突き出た繋ぎ材の先端部１３ｂを変形させて斜材連結具１２を固定する。このように繋ぎ部１５ａ，１５ａを切り込み１７，１７で互いに嵌合させることで、前後の繋ぎ部１５ａ，１５ａの芯がずれないように固定されるため、繋ぎ材１３の差し込みが容易に行えると共に、斜材３の連結強度をより一層向上できる。
【００１９】
トラスユニット４を左右方向に連結するときには、図１０（ａ）〜（ｃ）に示すように、横方向の弦材１ｂ，２ｂの端面を互いに突き合わせ、弦材の突き合わせ部９を弦材連結具５により、図１に示す前後方向に連結する場合と同様に連結する。
斜材３は、図５（ａ）に示すように、左右方向の端部に形成された略く字状断面の繋ぎ部１５ｂ，１５ｂを左右方向に互いに当接させ、図５（ｂ）に示すように略Ｘ字状断面とし、この当接して略Ｘ字状断面となった繋ぎ部１５ｂ，１５ｂに、繋ぎ材１３をスリット１３ａに差し込んで取り付ける。その後、図５（ｃ）に示すように、反対側から繋ぎ材１３の外周にリング１４を嵌め込み、図５（ｄ）に示すように、リング１４から突き出た繋ぎ材の先端部１３ｂを変形させて斜材連結具１２を固定する。
【００２０】
以上に述べたように本トラス構造体は、予め組立てた複数のトラスユニット４を、前後方向、左右方向に連結することにより、面積の大きな立体トラスを容易に構築することができる。トラスユニット４を前後方向、左右方向に連結するにあたり、隣接するトラスユニット４の弦材１ａ，１ｂ，２ａ，２ｂの連結には弦材連結具５を用い、折り曲げ片８，１１を折り曲げるだけの簡単な作業で確実に連結でき、斜材３の連結には略Ｘ字状断面のスリット１３ａが形成された繋ぎ材１３とリング１４とからなる斜材連結具１２を用い、前後方向に突き合わせ又は嵌合させた繋ぎ部１５ａ，１５ａ、左右方向に当接した繋ぎ部１５ｂ，１５ｂに、繋ぎ材１３をスリット１３ａに差し込んで取り付け、繋ぎ材１３にリング１４を嵌めてから繋ぎ材の先端部１３ｂを変形させることで確実に連結でき、溶接や、ビス止め、リベット止め等により連結する場合と比較して連結作業が迅速に且つ簡単に行え、生産性を向上できる。
さらに本トラス構造体は、トラスユニット４の斜材３が、押出形材２２に千鳥状に切れ目２３を入れたものから一体で形成してあり、尚且つ弦材１ａ，１ｂ，２ａ，２ｂを斜材格子点２４にカシメにより固定したので、トラスユニット４の組立て作業を簡素化し、コストを削減できる。
【００２１】
本発明は以上に述べた実施形態に限定されない。弦材は、Ｈ形断面のものや、矩形断面で長手方向の端部のみ上下の壁のうちの一方を切り欠いてコ字形断面にしたものであってもよい。斜材の繋ぎ部１５ａ，１５ｂの断面形状は任意であり、例えばＨ形断面や、アングル状や板状断面とすることもできる。本発明のトラス構造体は、トラスユニットを前後方向又は左右方向の何れか一方の方向にのみ連結したものであってもよい。実施形態は立体トラスであったが、平面トラスに適用することもできる。
【図面の簡単な説明】
【００２２】
【図１】隣接するトラスユニットの弦材を弦材連結具により連結する手順を順に示す斜視図である。
【図２】弦材連結具により連結した状態の弦材の突き合わせ部の縦断面図である。
【図３】トラスユニットの斜材を斜材連結具により前後方向に連結する手順を順に示す斜視図である。
【図４】トラスユニットの斜材を斜材連結具により前後方向に連結する部分の他の実施形態を示す斜視図である。
【図５】トラスユニットの斜材を斜材連結具により左右方向に連結する手順を順に示す斜視図である。
【図６】本発明のトラス構造体の一実施形態を示す平面図である。
【図７】同トラス構造体の、トラスユニット同士を連結する前の状態の平面図である。
【図８】トラスユニットを前後方向に連結する前の状態と、連結後の状態を示す斜視図である。
【図９】トラスユニットを前後方向に連結する手順を順に示す側面図である。
【図１０】トラスユニットを左右方向に連結する手順を順に示す正面図である。
【図１１】（ａ）はトラスユニットの平面図、（ｂ）はトラスユニットの側面図、（ｃ）はトラスユニットの正面図である。
【図１２−１】トラスユニットの斜材の製作手順を順に示す斜視図であって、（ａ）は斜材の材料になる押出形材を示し、（ｂ）は同押出形材に切れ目を千鳥状に加工した状態を示している。
【図１２−２】図１１−１の続きで、（ｃ）は上下方向に引き伸ばした状態、（ｄ）は左右方向に引き伸ばした状態（斜材の完成状態）を示している。
【図１３−１】斜材格子点に縦横の弦材を固定する手順を順に示す斜視図であって、（ａ）は斜材格子点に縦方向の弦材を配置するときの状態、（ｂ）は同弦材を仮固定するときの状態を示している。
【図１３−２】図１２−１の続きで、（ｃ）は横方向の弦材を配置するときの状態、（ｄ）は縦横の弦材を斜材格子点にカシメにより固定するときの状態を示している。
【符号の説明】
【００２３】
１ａ，１ｂ  上弦材
２ａ，２ｂ  下弦材  
３  斜材
３ａ  上斜材
３ｂ  下斜材
４  トラスユニット
５  弦材連結具
６  弦材の側壁
７  弦材の水平壁
８  弦材の折り曲げ片
９  弦材の突き合わせ部
１０  弦材連結具の基板
１１  弦材連結具の折り曲げ片
１２  斜材連結具
１３  繋ぎ材
１３ａ  スリット
１３ｂ  先端部
１４  リング
１５ａ  繋ぎ部
１５ｂ  繋ぎ部
１７  切り込み
【図１】
0005013517.tif 000002
【図２】
0005013517.tif 000003
【図３】
0005013517.tif 000004
【図４】
0005013517.tif 000005
【図５】
0005013517.tif 000006
【図６】
0005013517.tif 000007
【図７】
0005013517.tif 000008
【図８】
0005013517.tif 000009
【図９】
0005013517.tif 000010
【図１０】
0005013517.tif 000011
【図１１】
0005013517.tif 000012
【図１２−１】
0005013517.tif 000013
【図１２−２】
0005013517.tif 000014
【図１３−１】
0005013517.tif 000015
【図１３−２】
0005013517.tif 000016